(57)【要約】      （修正有）【課題】接続状態を良好に保つことができる照明装置、表示装置、テレビ受信装置および基板を提供する。【解決手段】光源基板２６と、光源基板２６のコネクタ挿通孔２７に挿通された基板用コネクタ３０と、を備える照明装置であって、基板用コネクタ３０の接続部材４０は、一端側が実装面２６Ａの配線パターンに接続されるとともに、他端側が実装面２６Ａの反対側において相手側接続部材５０と接続されるようになっている。接続部材４０のうち、コネクタ挿通孔２７の内部に配された領域は、コネクタハウジング３１の外面に露出した露出部４２とされており、コネクタ挿通孔２７のうち露出部４２と対向する対向面２７Ａと、基板用コネクタ３０のうち露出部４２を含む露出面４８との間に、露出部４２を対向面２７Ａから離隔する離隔部２８他が設けられている。【選択図】図３
2020053267.tif 000002
【特許請求の範囲】
【請求項１】
光源を実装面に実装した光源基板と、
導電性の接続部材と、当該接続部材を保持する絶縁性のコネクタハウジングとを有し、前記光源基板を貫通するコネクタ挿通孔に挿通された基板用コネクタと、を備える照明装置であって、
前記接続部材は、一端側が前記実装面に形成された配線パターンに接続されるとともに、他端側が前記実装面の反対側において相手側接続部材と接続されるようになっており、
前記接続部材のうち前記コネクタ挿通孔の内部に配された領域の少なくとも一部は、前記コネクタハウジングの外面に露出した露出部とされており、
前記コネクタ挿通孔のうち前記露出部と対向する領域を含む対向面と、前記基板用コネクタのうち前記露出部を含む露出面との間に、前記対向面および前記露出面の少なくとも一方から突出して、前記露出部を前記対向面から離隔する離隔部が設けられている照明装置。
【請求項２】
前記離隔部は、前記光源基板を平面視した場合に、前記対向面の両端部から前記基板用コネクタに向けて垂直に突出してその突出方向の先端面が前記基板用コネクタに対向配置される形態をなす請求項１に記載の照明装置。
【請求項３】
前記離隔部は、前記対向面と、前記対向面に連なる前記コネクタ挿通孔の内面との間の角部を曲面状にした形態をなす請求項１に記載の照明装置。
【請求項４】
前記光源基板は金属製である請求項１から請求項３のいずれか一項に記載の照明装置。
【請求項５】
請求項１から請求項４いずれか一項に記載の照明装置と、表示パネルと、を備える表示装置。
【請求項６】
請求項５記載の表示装置を備えるテレビ受信装置。
【請求項７】
導電性の部材の少なくとも一部が外部に露出した露出部とされた電子部品を挿通させるための貫通孔を備えるとともに、
前記貫通孔のうち前記露出部と対向する対向面に、前記露出部を前記対向面から離隔する離隔部が設けられている基板。
【発明の詳細な説明】
【技術分野】
【０００１】
本発明は、照明装置、表示装置、テレビ受信装置、および、基板に関する。
【背景技術】
【０００２】
携帯電話、スマートフォン、タブレット型ノートパソコンなどの携帯型の情報端末装置やコンピュータなどの電子機器、テレビ受信装置等には、液晶パネルなどの表示パネルを備えた表示装置が用いられている。表示装置は、これに用いる液晶パネルが自発光しないため、別途に照明装置としてバックライト装置を必要としている。バックライト装置の一例として、液晶パネルに対してその背面から光を直接供給する直下型のバックライト装置が知られている。
【０００３】
このようなバックライト装置は、例えば光源としてのＬＥＤと、ＬＥＤを実装したＬＥＤ基板とが、液晶パネル側の面が開口したシャーシ内に収容されるとともに、ＬＥＤと対向するようにシャーシの開口部を覆う形で光学部材が配されて、ＬＥＤが発する光を効率的に液晶パネル側へ放出させるようになっている。このようなバックライト装置の中には、ＬＥＤを駆動するためのＬＥＤ駆動基板とＬＥＤ基板との接続を、ＬＥＤ基板の裏面に設けたコネクタにより行うものがある（特許文献１）。また、ＬＥＤ基板側のコネクタを、ＬＥＤ基板を貫通する形態で取り付けるものがある。
【先行技術文献】
【特許文献】
【０００４】
【特許文献１】特開２０１２−１８８０９号公報
【発明の概要】
【発明が解決しようとする課題】
【０００５】
しかし、ＬＥＤ基板側のコネクタをＬＥＤ基板を貫通するように取り付ける形態では、振動や応力等によりコネクタがＬＥＤ基板の貫通孔内でがたついたり、移動する場合がある。このようにコネクタが動くと、コネクタとＬＥＤ基板との接続や、コネクタとＬＤＥ駆動基板側のコネクタとの接続に不良が生じる虞がある。そこで、がたつきや移動が生じ難いように、貫通孔の大きさを、なるべくコネクタに沿う大きさにすることが考えられる。しかし、コネクタに設けられている接続用の導電部材がコネクタハウジングの外部に露出している場合には、その露出部分が貫通孔の内壁と接触し、導電部材に応力がかかって接続部位に悪影響を及ぼしたり、導電部材そのものを変形させる虞がある。
【０００６】
本明細書で開示される技術は、接続状態を良好に保つことが可能な照明装置、表示装置、テレビ受信装置、および、基板を提供することを目的とする。
【課題を解決するための手段】
【０００７】
本発明は、光源を実装面に実装した光源基板と、導電性の接続部材と、当該接続部材を保持する絶縁性のコネクタハウジングとを有し、前記光源基板を貫通するコネクタ挿通孔に挿通された基板用コネクタと、を備える照明装置であって、前記接続部材は、一端側が前記実装面に形成された配線パターンに接続されるとともに、他端側が前記実装面の反対側において相手側接続部材と接続されるようになっており、前記接続部材のうち前記コネクタ挿通孔の内部に配された領域の少なくとも一部は、前記コネクタハウジングの外面に露出した露出部とされており、前記コネクタ挿通孔のうち前記露出部と対向する領域を含む対向面と、前記基板用コネクタのうち前記露出部を含む露出面との間に、前記対向面および前記露出面の少なくとも一方から突出して、前記露出部を前記対向面から離隔する離隔部が設けられている。
【発明の効果】
【０００８】
本発明によれば、接続状態を良好に保つことが可能な照明装置、表示装置、テレビ受信装置、および、基板が得られる。
【図面の簡単な説明】
【０００９】
【図１】実施形態１のテレビ受信装置の概略構成を示す分解斜視図
【図２】液晶表示装置の概略構成を示す分解斜視図
【図３】嵌合状態の基板側コネクタおよび給電側コネクタの拡大縦断面図
【図４】基板側コネクタが取り付けられたＬＥＤ基板の要部拡大平面図
【図５】基板側コネクタが取り付けられたＬＥＤ基板の要部拡大平断面図
【図６】実施形態２の基板側コネクタが取り付けられたＬＥＤ基板の要部拡大平断面図
【図７】他の実施形態の基板側コネクタが取り付けられたＬＥＤ基板の要部拡大平断面図
【発明を実施するための形態】
【００１０】
＜実施形態１＞
本発明の実施形態１を図１から図５によって説明する。本実施形態では、バックライト装置２０と、それを用いた液晶表示装置１０を備えるテレビ受信装置１０ＴＶについて例示する。なお、各図面の一部にはＸ軸、Ｙ軸及びＺ軸を示しており、各軸方向が各図面で示した方向となるように描かれている。また、図３に示す上側を表側とし、同図下側を裏側とする。さらに、図４における上下方向を幅方向とし、左右方向を長さ方向とする。
【００１１】
本実施形態に係るテレビ受信装置１０ＴＶは、図１に示すように、液晶表示装置１０（表示装置の一例）と、当該液晶表示装置１０を挟むようにして収容する表裏両キャビネット１０ＣＡ，１０ＣＢと、電源１０Ｐと、テレビ信号を受信するチューナー（受信部）１０Ｔと、スタンド１０Ｓと、を備えて構成される。
【００１２】
（液晶表示装置１０）
液晶表示装置１０は、全体として横長（長手）の方形状（矩形状）をなし、縦置き状態で設置されている。この液晶表示装置１０は、図２に示すように、画像を表示する液晶パネル１１（表示パネルの一例）と、液晶パネル１１に対して裏側に配されるとともに液晶パネル１１に表示のための光を供給する外部光源であるバックライト装置２０（照明装置の一例）と、を備え、これらが枠状のベゼル１２などにより一体的に保持されるようになっている。
【００１３】
（液晶パネル１１）
液晶パネル１１は、詳細な図示は省略するが、一対の横長な方形状（矩形状、長方形状）の基板が所定のギャップを隔てた状態で貼り合わせられるとともに、両基板間に液晶層が配された周知の構成とされる。両基板は、それぞれ無アルカリガラス等からなる透光性に優れたガラス基板を備えており、それぞれのガラス基板上に既知のフォトリソグラフィ法等によって複数の膜が積層されてなる。
【００１４】
一対の基板のうち裏側（図２の下方）に配される基板はアレイ基板であり、互いに直交するソース配線とゲート配線とに接続されたスイッチング素子（例えばＴＦＴ）と、そのスイッチング素子に接続された画素電極、さらには配向膜等が設けられている。また、表側（図２の上方）に配される基板はＣＦ基板であり、Ｒ（赤色），Ｇ（緑色），Ｂ（青色）等の各着色部が所定配列で配置されたカラーフィルタや対向電極、さらには配向膜等が設けられている。また、両基板の外側には偏光板が配されている。液晶パネル１１は、バックライト装置２０から供給される光を利用して画像を表示することができ、その表側が出光側とされている。なお、液晶パネル１１における長辺方向がＸ軸方向と一致し、短辺方向がＹ軸方向と一致し、さらに厚さ方向がＺ軸方向と一致している。
【００１５】
（ベゼル１２）
ベゼル１２は例えばアルミニウム等の金属材料からなり、全体としては長方形の枠状をなしている。ベゼル１２は、図２に示すように、液晶パネル１１の外周端部を全周にわたって表側から押さえるパネル押さえ部１２Ａと、パネル押さえ部の外周縁部から裏側に向けて突出するとともにバックライト装置２０を外周側から取り囲む外筒部１２Ｂとから構成されている。液晶パネル１１は、このベゼル１２によってバックライト装置２０との間に挟み込まれて保持されている。
【００１６】
（バックライト装置２０）
バックライト装置２０は、図２に示すように、液晶パネル１１側が開口した略箱型をなすシャーシ２１と、シャーシ２１の開口を覆うようにして配される光学部材２２と、シャーシ２１の外縁部に沿って配され光学部材２２の外縁部をシャーシ２１との間で挟んで保持するフレーム２３とを備える。
【００１７】
さらに、シャーシ２１内には、光学部材２２（液晶パネル１１）の直下となる位置に対向状に配される複数のＬＥＤ２５と、複数のＬＥＤ２５が実装されたＬＥＤ基板２６とが備えられる。さらに、シャーシ２１内には、シャーシ２１内の光を光学部材２２側に反射させる反射シート２４が備えられる。このように、本実施形態に係るバックライト装置２０は、いわゆる直下型とされる。ＬＥＤ基板２６は、図示しない保持機構によりシャーシ２１内の所定位置に保持されている。続いて、バックライト装置２０の各構成部品について説明する。
【００１８】
（シャーシ２１）
シャーシ２１は、例えばアルミニウム板や電気亜鉛めっき綱板（ＳＥＣＣ）などの金属製とされ、液晶パネル１１と同様に横長な方形状（矩形状、長方形状）をなす底板２１Ａと、底板２１Ａの各外周縁部からそれぞれ表側（出光側、ＬＥＤ２５が配される側）に向けて立ち上がる側板２１Ｂと、各側板２１Ｂの立ち上がり端から外向き張り出す受け部２１Ｃとからなり、全体としては表側に向けて開口した浅い略箱型（略浅皿状）をなしている。シャーシ２１における各受け部２１Ｃには光学部材２２が載置され、表側からフレーム２３により押さえられている。
【００１９】
（光学部材２２）
光学部材２２はＬＥＤ２５から発する光を均一な面光源に変換するための部材であり、液晶パネル１１およびシャーシ２１と同様に、平面に視て横長の方形状をなしている。光学部材２２は、その外縁部が受け部２１Ｃに載置されることで、シャーシ２１の開口部を覆うとともに、液晶パネル１１とＬＥＤ２５（ＬＥＤ基板２６）との間に介在して配される。
【００２０】
より詳細には、光学部材２２は、ＬＥＤ２５に対して表側、つまり出光側に所定の間隔を空けて対向配置されている。本実施形態の光学部材２２は、裏側（ＬＥＤ２５側）に配される拡散板２２Ａと、表側（液晶パネル１１側、出光側）に配される複数の光学シート２２Ｂとから構成されている。拡散板２２Ａは、所定の厚みを持つほぼ透明な樹脂製で板状をなす基材内に拡散粒子を多数分散して設けた構成とされ、透過する光を拡散させる機能を有する。光学シート２２Ｂは、拡散板２２Ａと比べると板厚が薄いシート状をなしており、例えば２枚が積層して配されている。具体的な光学シート２２Ｂの種類としては、例えば蛍光発光シート、拡散シート、プリズムシート、偏光反射シートなどがあり、これらの中から適宜に選択して使用することが可能である。
【００２１】
（フレーム２３）
フレーム２３は、例えば反射率が高い白色ポリカーボネイト等の樹脂からなり、光学部材２２の外周縁部に沿う枠状をなして、シャーシ２１の受け部２１Ｃとの間で光学部材２２の端部を挟持するとともに、表側に配されるベゼル１２のパネル押さえ部１２Ａとの間で液晶パネル１１の端部を挟持している。また、フレーム２３の外周縁部は表裏に向けて立ち上がっており、ベゼル１２の外筒部１２Ｂの内側において光学部材２２および液晶パネル１１を外周から取り囲んでいる。
【００２２】
（ＬＥＤ２５）
ＬＥＤ２５は、後述するＬＥＤ基板２６上に実装されるとともにその発光面がＬＥＤ基板２６側とは反対側を向いた、いわゆる頂面発光型とされている。ＬＥＤ２５は、発光面が光学部材２２の板面と対向状をなす位置関係にある。ＬＥＤ２５は、ＬＥＤ基板２６の板面に配される基板部上に半導体発光素子であるＬＥＤチップ（ＬＥＤ素子）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。また、封止する樹脂材に蛍光体が配合されていないＬＥＤを使用することもできるし、そもそも樹脂材で封止されないＬＥＤチップそのものを実装してもよい。この場合は青色発光となるため、光学シート２２Ｂとして蛍光発光シートを使用して白色となるよう調整する必要がある。
【００２３】
（ＬＥＤ基板２６）
図２に示すように、本実施形態では、シャーシ２１内において底板２１Ａに沿って、かつ、底板２１Ａと絶縁された状態で複数のＬＥＤ基板２６（光源基板および基板の一例）が延在しており、全体としてはシャーシ２１の底板２１Ａと同様に横長な方形状（矩形状、長方形状）をなしている。ＬＥＤ基板２６の基材は、アルミニウム等の熱伝導性に優れる金属材料製とされ、その表面には、絶縁膜を介して銅箔などの金属膜からなる図示しない配線パターンが形成されている。本実施形態においては、Ｘ軸方向に４枚、Ｙ軸方向に２枚の計８枚のＬＥＤ基板２６を使用した例を示しているが、使用するＬＥＤ基板２６の数は本実施形態に限るものではない。
【００２４】
各ＬＥＤ基板２６の実装面２６Ａ（表側）には、上述した複数のＬＥＤ２５が長辺方向および短辺方向に沿うようにマトリクス状に並んで配置されており、それらの配列間隔はほぼ一定（等間隔）とされている。
【００２５】
（反射シート２４）
ＬＥＤ基板２６の実装面２６Ａには、ＬＥＤ２５に対応する領域にＬＥＤ２５を露出させるための孔部が設けられた反射シート２４が重ね合わされている。反射シート２４は、表面が光の反射性に優れた白色を呈するものとされており、シャーシ２１の底板２１Ａに沿って平面配置された複数のＬＥＤ基板２６を一括して覆う大きさとされている。この反射シート２４により、シャーシ２１内の光を表側（光出射側、光学部材２２側）に向けて反射させることができるようになっている。
【００２６】
（基板側コネクタ３０）
ＬＥＤ基板２６には、後述する給電側コネクタ５０と接続される基板側コネクタ３０（基板用コネクタおよび電子部品の一例）が設けられており、シャーシ２１の背面側（底板２１Ａの裏側）に配された図示しないＬＥＤ駆動基板から駆動電力が供給されるようになっている。
【００２７】
基板側コネクタ３０は、図３に示すように、ＬＥＤ基板２６およびシャーシ２１の底板２１Ａ（図３には図示せず）を貫通するコネクタ挿通孔２７（貫通孔の一例）に挿通されている。コネクタ挿通孔２７の幅方向（Ｙ軸方向）の寸法は、基板側コネクタ３０のうち、コネクタ挿通孔２７に貫通している部分より僅かに大きい寸法とされている（図５参照）。一方、長さ方向（Ｘ軸方向）の寸法は、基板側コネクタ３０のうち、コネクタ挿通孔２７に貫通している部分より大きい寸法とされ、基板側コネクタ３０との間にやや大きい隙間を有するようになっている。なお、やや大きい隙間とは、後述する基板側接続部材４０の連結部４２と、連結部４２に対向するコネクタ挿通孔２７の対向面２７Ａとの間が、絶縁に充分な寸法以上離れている大きさの隙間とする。
【００２８】
基板側コネクタ３０は、合成樹脂製の基板側ハウジング３１（コネクタハウジングの一例）と、導電材料からなり、基板側ハウジング３１に保持された基板側接続部材４０（接続部材および部材の一例）とを備えている。以下、後述する給電側コネクタ５０との嵌合方向（図３の右側）を前方、嵌合離脱方向（図３の左側）を後方として説明する。
【００２９】
基板側ハウジング３１は全体として略直方体状をなし、ＬＥＤ基板２６の実装面２６Ａ（表面）側に僅かに突出し、反対面２６Ｂ（裏面）側に大きく突出した状態でコネクタ挿通孔２７に挿通されている。基板側ハウジング３１の上端には、例えば図４の平面図に示すように、前方側（図４の右側）に配された一辺の中央部において前方に向けて張り出す前方張出部３２と、後方側（図４の左側）の一対の角部をぞれぞれ囲むようにＬ字形状に張り出す後方張出部３３とが形成されており、基板側ハウジング３１がコネクタ挿通孔２７に挿通された状態において、これら前方張出部３２および後方張出部３３がコネクタ挿通孔２７の孔縁部の外周（実装面２６Ａ）に係止することにより、下方（反対面２６Ｂ側、シャーシ２１側）への抜け止めが図られている。なお基板側ハウジング３１は、後方張出部３３の前端付近において実装面２６Ａに対して接着剤やハンダ等（図示せず）により固定されている。
【００３０】
また、基板側ハウジング３１は、ＬＥＤ基板２６の反対面２６Ｂ側において、前方（ＬＥＤ基板２６に沿う方向）に向けて開口したフード部３４を備えている。フード部３４の奥壁３５には、後述する基板側端子４３をフード部３４内に突出させるための端子挿通孔３６が、上下方向に２つ、幅方向（Ｙ軸方向）に６つ、合計１２設けられている。
【００３１】
また、フード部３４の底壁は、幅方向（図３の紙面と直交する方向、Ｙ軸方向）における中央部が前後方向（Ｘ軸方向）の全体にわたって内側に向けて凹状に窪んでおり、その凹状に窪んだ領域の外壁に、前方から後方に向けて傾斜状に立ち上がるとともに幅方向に直線状に延びる係止リブ３７が設けられている。係止リブ３７には、後述する給電側コネクタ５０のロックアーム５５が係止される。
【００３２】
さらに基板側ハウジング３１のうち、上述した前方張出部３２および後方張出部３３が設けられた領域（上端）と、フード部３４との間の領域には、前面から後方に向けて肉抜きされた肉抜き部３８が設けられている。また、肉抜き部３８の奥壁には、後方側から後述する基板側接続部材４０を圧入して固定するための、後方から前方に向けて凹状に窪む被圧入部３９が設けられている。
【００３３】
基板側接続部材４０は、概ね、帯状の導電部材がクランク状に屈曲された形態をなしている。詳細には、基板側接続部材４０は、一端側（上端）が後方に向けて延びてＬＥＤ基板２６の実装面２６Ａの図示しない配線パターンに接続される配線接続部４１とされるとともに、中間部が上下方向に延びる連結部４２（露出部の一例）とされ、他端側（下側）が、上下方向に二股に分かれるとともに前方に延びて、上述した端子挿通孔３６を貫通することによりフード部３４内に突出した基板側端子４３とされている。
【００３４】
連結部４２には、上述した被圧入部３９に圧入するための圧入突部４５が、前方に向けて突出している。また、基板側端子４３のうち上側に配される６本の上側端子４３Ａは、フード部３４の上壁との間に隙間を有さない状態とされている。また、基板側端子４３のうち下側に配される６本の下側端子４３Ｂは、先端側が上下方向に弾性変形可能とされており、先端部分に、後述する給電側端子５１の端子接続部５１Ａに係止する係止爪４６が上方に突出して設けられている。
【００３５】
以下、このようにフード部３４内に基板側端子４３が突出している構成を、コネクタ嵌合部４７と称する。
【００３６】
基板側接続部材４０は、基板側ハウジング３１の後方から圧入突部４５が被圧入部３９に圧入されるとともに、上側端子４３Ａおよび下側端子４３Ｂが端子挿通孔３６に挿入されることにより、基板側ハウジング３１に対して固定されている。この状態において、連結部４２は基板側ハウジング３１の外面（背面）に露出している。また基板側コネクタ３０がＬＥＤ基板２６のコネクタ挿通孔２７に挿通された状態において、連結部４２の背面４２Ａは、コネクタ挿通孔２７の内面と対向配置されている。以下、基板側コネクタ３０のうち、連結部４２が露出された面を露出面４８と称し、コネクタ挿通孔２７のうち、露出面４８と対向する面を対向面２７Ａと称することとする。
【００３７】
（給電側コネクタ５０）
上述した基板側コネクタ３０のコネクタ嵌合部４７には、図３に示すように、給電側コネクタ５０が嵌合される。給電側コネクタ５０は、図示しないＬＥＤ駆動基板から延びる電線Ｗの端末に接続された給電側端子５１（相手側接続部材の一例）と、給電側端子５１を内部に収容する合成樹脂製の給電側ハウジング５２と、を備えて構成されている。以下、給電側コネクタ５０について説明する場合は、基板側コネクタ３０との嵌合方向（図３の左側）を前方、嵌合離脱方向（図３の右側）を後方とする。
【００３８】
詳細には、給電側ハウジング５２は、給電側端子５１が後方から収容されるキャビティ５３を有する本体部５４と、本体部５４の下方に本体部５４と一体に設けられたロックアーム５５と、を備えている。給電側端子５１は、図示しないランスにより、キャビティ５３内に抜け止め状態に保持されている。
【００３９】
ロックアーム５５は、給電側ハウジング５２の後方側から前方に向けて片持ち状に延びており、弾性的に上下方向に傾動可能とされている。ロックアーム５５の前端部には、基板側ハウジング３１の係止リブ３７に係止するための係止爪５６が上方に向けて突出している。この係止爪５６の背面側（図３中右側）は、係止リブ３７の背面側（図３中左側）と重なり合うように形成されている。また、係止爪４６の上面は平坦面とされており、フード部３４の底面と重なり合うように設定されている。
【００４０】
給電側端子５１は、上述した基板側コネクタ３０の上側端子４３Ａおよび下側端子４３Ｂに挟持されることにより導通接続可能な端子接続部５１Ａと、端子接続部５１Ａの後方に設けられ、電線Ｗと接続可能な電線接続部５１Ｂとを備えて構成されている。端子接続部５１Ａは角筒状をなし、その内部に、前縁から折り返された形状をなす弾性接触部５７を備えている。また、端子接続部５１Ａのうち下側端子４３Ｂと対向する面には孔部が設けられており、孔部内に下側端子４３Ｂの係止爪４６が進入することにより、下側端子４３Ｂと弾性接触部５７とが接触し、この部分でも導通接続が図られている。
【００４１】
この給電側コネクタ５０は、基板側コネクタ３０のコネクタ嵌合部４７に対し、ＬＥＤ基板２６に沿う方向（Ｘ軸方向）から嵌合されており、電線Ｗは、その嵌合方向における背面からＬＥＤ基板２６に沿う方向（Ｘ軸方向）に延出されている。
【００４２】
さて、上述したように、基板側接続部材４０の連結部４２は基板側ハウジング３１の外面に露出しており、基板側コネクタ３０がＬＥＤ基板２６のコネクタ挿通孔２７に挿通された状態において、連結部４２の背面４２Ａは、コネクタ挿通孔２７の対向面２７Ａと対向配置されている。したがって、露出した連結部４２が対向面２７Ａに接触し、基板側接続部材４０と金属製のＬＥＤ基板２６とが短絡したり、基板側接続部材４０に応力がかかって変形し、接続不良が生じる虞がある。
【００４３】
しかし、本実施形態においては、基板側コネクタ３０の露出面４８の、幅方向（Ｙ軸方向）における両端部に、図５に示すように、対向面２７Ａ（露出面４８と対向するコネクタ挿通孔２７の内面）に向けて上下方向（Ｚ軸方向）に亘って突出するコネクタ側離隔部４９が設けられている。これらのコネクタ側離隔部４９の露出面４８からの突出寸法は、連結部４２の露出面４８からの突出寸法と同等とされている。なお、一対のコネクタ側離隔部４９の下端部は、基板側ハウジング３１のフード部３４の底壁から後方に向けて延出された延出部３４Ａにより連結されている。延出部３４Ａの後端面と、連結部４２の背面４２Ａとは、面一とされている（図３参照）。
【００４４】
また、ＬＥＤ基板２６側においても、コネクタ挿通孔２７の対向面２７Ａの幅方向（Ｙ軸方向）における両端部に、基板側コネクタ３０に向けて上下方向（Ｚ軸方向、貫通方向）の全域に亘って突出する基板側離隔部２８が設けられている。基板側離隔部２８の幅方向における外側の面は、対向面２７Ａと隣り合うコネクタ挿通孔２７の内面と一体に形成されている（図５参照）。また、これらの基板側離隔部２８の突出方向の先端面は、上述したコネクタ側離隔部４９の突出方向の先端面と対向配置されている。これらの基板側離隔部２８により、コネクタ挿通孔２７内での基板側コネクタ３０の後方（図５の左側）への移動が規制されている。すなわち、連結部４２がコネクタ挿通孔２７の対向面２７Ａに絶縁状態が損なわれるほど近づき過ぎたり、接触することが防止されている。これらの離隔部２８，４９の突出寸法の合計値は、連結部４２の露出面４８からの突出寸法より大きい寸法に設定されている。
【００４５】
次に、本実施形態の作用効果を説明する。本実施形態のバックライト装置２０は、ＬＥＤ２５を実装面２６Ａに実装したＬＥＤ基板２６と、導電性の基板側接続部材４０と、当該基板側接続部材４０を保持する絶縁性の基板側ハウジング３１とを有し、ＬＥＤ基板２６を貫通するコネクタ挿通孔２７に挿通された基板側コネクタ３０と、を備え、基板側接続部材４０は、一端側が実装面２６Ａに形成された配線パターンに接続されるとともに、他端側が実装面２６Ａの反対側において給電側端子５１と接続されるようになっており、基板側接続部材４０のうちコネクタ挿通孔２７の内部に配された連結部４２は、基板側ハウジング３１の外面に露出しており、コネクタ挿通孔２７のうち連結部４２と対向する領域を含む対向面２７Ａと、基板側コネクタ３０のうち連結部４２を含む露出面４８との間に、対向面２７Ａおよび露出面４８から突出して、連結部４２を対向面２７Ａから離隔する基板側離隔部２８およびコネクタ側離隔部４９が設けられている。
【００４６】
また本実施形態のＬＥＤ基板２６は、導電性の基板側接続部材４０の連結部４２が外部に露出した基板側コネクタ３０を挿通させるためのコネクタ挿通孔２７を備えるとともに、コネクタ挿通孔２７のうち連結部４２と対向する対向面２７Ａに、連結部４２を含む露出面４８を対向面２７Ａから離隔する基板側離隔部２８が設けられている。
【００４７】
また基板側離隔部２８は、ＬＥＤ基板２６を平面視した場合に、対向面２７Ａの両端部から基板側コネクタ３０に向けて垂直に突出してその突出方向の先端面が基板側コネクタ３０のコネクタ側離隔部４９に対向配置される形態をなしている。
【００４８】
このような構成によれば、基板側コネクタ３０に振動や応力がかかった場合でも、コネクタ挿通孔２７内での基板側コネクタ３０のがたつきや移動が抑制されるから、基板側コネクタ３０とＬＥＤ基板２６との接続（配線接続部４１と配線パターンとの接続）や、基板側コネクタ３０と給電側コネクタ５０との接続（基板側端子４３と給電側端子５１との接続）に不良が生じることが抑制される。また、連結部４２と、コネクタ挿通孔２７の対向面２７Ａとが接触し、基板側接続部材４０に応力がかかって、接続部位に悪影響を及ぼすことが抑制される。
【００４９】
また、本実施形態においてＬＥＤ基板２６は金属製とされているが、上記構成によれば、コネクタ挿通孔２７内において露出している基板側接続部材４０の連結部４２は、コネクタ挿通孔２７の対向面２７Ａとは、基板側離隔部２８およびコネクタ側離隔部４９により離隔した状態とされる。従来は、対向面２７Ａと連結部４２との離隔は、基板側コネクタ３０の実装精度にのみ行われており、このため、実装精度が低かったり、振動により固定が損なわれたりした場合に、ＬＥＤ基板２６と基板側接続部材４０との間で短絡が起きるという問題があった。これに対し本実施形態によれば、基板側離隔部２８およびコネクタ側離隔部４９により両者を確実に離隔させ、これにより、短絡を確実に防止することができる。
【００５０】
このように本実施形態によれば、接続状態を良好に保つことができるバックライト装置２０、液晶表示装置１０、テレビ受信装置１０ＴＶ、および、ＬＥＤ基板２６が得られる。
【００５１】
＜実施形態２＞
実施形態２を図６を参照に説明する。本実施形態では、ＬＥＤ基板１２６のコネクタ挿通孔１２７の対向面１２７Ａから突出する基板側離隔部１２８の形態が上記実施形態１と相違している。以下、実施形態１と相違している部分についてのみ説明し、重複する部分は説明を省略する。なお図６において、実施形態１と同様の構成に同じ符号を付すこととする。
【００５２】
本実施形態のコネクタ挿通孔１２７の幅方向（Ｙ軸方向）の寸法は、上記実施形態１と同様に、基板側コネクタ３０のうち、コネクタ挿通孔１２７に貫通している部分より僅かに大きい寸法とされている。一方、長さ方向（Ｘ軸方向）の寸法は、上記実施形態１よりも小さい寸法とされている。ただし、基板側接続部材４０の連結部４２と、コネクタ挿通孔１２７の対向面１２７Ａとの間が、絶縁に充分な寸法以上離れることが可能な寸法とされている。
【００５３】
本実施形態の基板側離隔部１２８は、コネクタ挿通孔１２７の対向面１２７Ａの幅方向（Ｙ軸方向）における両端部に位置する角部（対向面１２７Ａと、対向面１２７Ａに連なるコネクタ挿通孔１２７の内面との間の角部）を、角の無い断面扇状の曲面とすることにより形成されている。すなわち、基板側離隔部１２８は、図６に示すように、対向面１２７Ａの幅方向（Ｙ軸方向）における両端部から基板側コネクタ３０に向けて、略直角三角柱状に突出している。略直角三角柱状の基板側離隔部１２８、すなわち、平面視では略直角三角形状の基板側離隔部１２８は、その直角とされた角を挟む２辺がコネクタ挿通孔１２７の孔縁部と一体とされて、残りの一辺が、その直角の角に向けて扇状に窪んでいる。
【００５４】
このような本実施形態のバックライト装置によっても、ＬＥＤ基板１２６のコネクタ挿通孔１２７内に挿通された基板側コネクタ３０は、コネクタ側離隔部４９が基板側離隔部１２８の曲面に当接することにより対向面１２７Ａ側への移動が規制される。また。基板側コネクタ３０とコネクタ挿通孔１２７との間の隙間も小さく設定することができるため、孔内でのがたつきも抑制されるようになっている。従って、基板側コネクタ３０とＬＥＤ基板１２６との接続や、基板側コネクタ３０と給電側コネクタ５０との接続に不良が生じることが抑制される。また、連結部４２と、コネクタ挿通孔１２７の対向面１２７Ａとが接触し、基板側接続部材４０に応力がかかって、接続部位に悪影響を及ぼすことも抑制される。さらに、基板側コネクタ３０とコネクタ挿通孔１２７との間の隙間を小さく設定することができながら、ＬＥＤ基板１２６と連結部４２（基板側接続部材４０）とは接触しないようになっているので、両者間の短絡を確実に防止することができる。
【００５５】
このように本実施形態によっても、接続状態を良好に保つことができるバックライト装置２０、液晶表示装置１０、テレビ受信装置１０ＴＶ、および、ＬＥＤ基板１２６が得られる。
【００５６】
＜他の実施形態＞
本発明は上記記述及び図面によって説明した実施形態に限定されるものではなく、例えば次のような実施形態も本発明の技術的範囲に含まれる。
【００５７】
（１）実施形態１では、基板側離隔部２８およびコネクタ側離隔部４９を、コネクタ挿通孔２７の対向面２７Ａの幅方向における両端部、および、基板側コネクタ３０の同方向における両端部に設ける構成としたが、基板側離隔部およびコネクタ側離隔部は、幅方向における両端部に限らず任意の位置に設けることができる。例えば、図７に示すように、基板側離隔部２２８（またはコネクタ側離隔部）を幅方向における両端部付近に設けたり、複数の基板側接続部材が離れて配されている場合には、基板側接続部材の間に設けることができる。要は、離隔部によって基板側接続部材４０の連結部４２が対向面２７Ａに接触しない構成であれば、どのような位置にいくつ設けてもよい。
【００５８】
（２）実施形態２では、基板側離隔部１２８を直角の角に向けて窪む連続した曲面状としたが、直角の角に向けて窪む、平面のつなぎ合わせとしてもよい。
【００５９】
（３）上記実施形態では、ＬＥＤ基板２６，１２６を金属製としたが、絶縁性のＬＥＤ基板を使用する形態も本発明の技術的範囲に含まれる。
【００６０】
（４）上記実施形態では、基板側コネクタ３０とＬＥＤ基板２６，１２６の双方に離隔部を設ける構成を示したが、離隔部は、基板側コネクタまたはＬＥＤ基板のどちらか一方に設ける構成としてもよい。要は、離隔部により基板側接続部材４０とＬＥＤ基板２６，１２６とが接触しない構成であればよい。
【００６１】
（５）上記実施形態では、基板側コネクタ３０をＬＥＤ基板２６，１２６のコネクタ挿通孔２７，１２７に挿通させる形態を示したが、本発明は上記実施形態に限らず、コネクタ以外の電子部品をＬＥＤ基板ではない基板に挿通させる形態にも適用することができる。
【符号の説明】
【００６２】
１０ＴＶ：テレビ受信装置、１０：液晶表示装置（表示装置）、１１：液晶パネル（表示パネル）、２０：バックライト装置（照明装置）、２５：ＬＥＤ（光源）、２６，１２６，２２６：ＬＥＤ基板（光源基板、基板）、２６Ａ，１２６Ａ，２２６Ａ：実装面、２７，１２７，２２７：コネクタ挿通孔、貫通孔）、２７Ａ，１２７Ａ，２２７Ａ：対向面、２８，１２８，２２８：基板側離隔部（離隔部）、３０：基板側コネクタ（基板用コネクタ、電子部品）、３１：基板側ハウジング（コネクタハウジング）、４０：基板側接続部材（接続部材、部材）、４２：連結部（露出部）、４８：露出面、４９：基板側離隔部（離隔部）、５０：給電側コネクタ（相手側接続部材）、５１：給電側端子（相手側接続部材）
【図１】
2020053267.tif 000003
【図２】
2020053267.tif 000004
【図３】
2020053267.tif 000005
【図４】
2020053267.tif 000006
【図５】
2020053267.tif 000007
【図６】
2020053267.tif 000008
【図７】
2020053267.tif 000009